(57)【要約】【課題】  外枠に開閉可能に設けられた内枠の施錠、及び、内枠に開閉可能に設けられたガラス枠の施錠と、不正行為による各枠の解錠防止とを、簡単な構成によって実現させた単一の施錠装置を備える遊技機を得る。【解決手段】  施錠装置５２のベース１５０に、内枠１４を外枠１２に施錠するための内枠固定用フック６０Ａ、６０Ｂと、内枠固定用フック６０Ａ、６０Ｂの一方が不正に解錠操作されても他方は連動させずに施錠状態を保持する第１リンク機構と、ガラス枠２６を内枠１４に施錠するためのガラス枠固定用フック６２Ａ、６２Ｂと、ガラス枠固定用フック６２Ａ、６２Ｂの一方が不正に解錠操作されても他方は連動させずに施錠状態を保持する第２リンク機構と、を組み付けて一体化する。【選択図】        図４
2006034358.tif 000002
【特許請求の範囲】
【請求項１】
遊技機の外郭を構成する基枠と、
前記基枠に開閉可能に設けられた第１開閉枠と、
前記第１開閉枠に開閉可能に設けられた第２開閉枠と、
前記第１開閉枠に設けられ、第１開閉枠を前記基枠に及び前記第２開閉枠を第１開閉枠にそれぞれ施錠するとともに、錠部が鍵部材に操作されることにより基枠に施錠された第１開閉枠及び第１開閉枠に施錠された第２開閉枠をそれぞれ解錠する施錠装置と、
を備えた遊技機であって、
前記施錠装置は、
前記第１開閉枠が前記基枠に閉塞された状態で基枠に設けられた一対の第１固定部に係合する一対の第１係合部材と、
前記一対の第１固定部に係合した前記一対の第１係合部材の各々の係合状態を保持し、且つ、前記錠部が前記鍵部材によって所定の解錠操作をされることにより前記一対の第１係合部材を連動させて前記一対の第１固定部に対する各々の係合状態を解除するとともに、一対の第１係合部材の一方が単独で係合解除操作されても他方は連動させずに係合状態を保持する第１リンク機構と、
前記第２開閉枠が前記第１開閉枠に閉塞された状態で第２開閉枠に設けられた一対の第２固定部に係合する一対の第２係合部材と、
前記一対の第２固定部に係合した前記一対の第２係合部材の各々の係合状態を保持し、且つ、前記錠部が前記鍵部材によって前記所定の解錠操作とは異なる他の所定の解錠操作をされることにより前記一対の第２係合部材を連動させて前記一対の第２固定部に対する各々の係合状態を解除するとともに、一対の第２係合部材の一方が単独で係合解除操作されても他方は連動させずに係合状態を保持する第２リンク機構と、
前記一対の第１係合部材、前記第１リンク機構、前記一対の第２係合部材、前記第２リンク機構、及び、前記錠部が組み付けられ、それらを一体化して前記第１開閉枠に取り付けるベースと、
を有することを特徴とする遊技機。
【請求項２】
前記ベースに、前記一対の第１係合部材がそれぞれ直接取り付けられる一対の第１取付部と、前記一対の第２係合部材がそれぞれ直接取り付けられる一対の第２取付部と、が各々一体的に設けられていることを特徴とする請求項１記載の遊技機。
【発明の詳細な説明】
【技術分野】
【０００１】
本発明は、遊技機に係り、詳細には、内枠を外枠に及びガラス枠を内枠にそれぞれ施錠するとともに、錠部が鍵部材に操作されることにより外枠に施錠された内枠及び内枠に施錠されたガラス枠をそれぞれ解錠する施錠装置を備えた遊技機に関する。
【背景技術】
【０００２】
パチンコ機等の遊技機では、機器の外郭を構成する外枠の前面に、内枠（前面枠）が開閉可能に取り付けられ、内枠の前面に、遊技盤を覆うガラス枠が開閉可能に取り付けられており、内枠は外枠に、又、ガラス枠は内枠にそれぞれ施錠されるようになっている。この内枠を外枠に、又、ガラス枠を内枠にそれぞれ施錠する施錠装置としては、内枠用の施錠装置にガラス枠用の施錠機構を一体化させることにより、ガラス枠用の施錠機構を個別に備える構成に比べて取付作業や調整作業を簡素化するようにしたものがある（例えば、特許文献１、２参照）。
【特許文献１】特開平７−２０４３３７号公報
【特許文献２】特開２００３−２３０７３５号公報
【発明の開示】
【発明が解決しようとする課題】
【０００３】
しかしながら、上述した特許文献１の施錠装置では、内枠施錠用に設けられた一対の鉤部材が互いに連動し、又、ガラス枠施錠用に設けられた一対の鉤部材が互い連動するため、外枠と内枠の隙間又は内枠とガラス枠の隙間からピアノ線等の不正具をパチンコ機内に進入させ、一方の鉤部材を不正に係合解除操作すると他方の鉤部材も係合解除されてしまい、そのような不正行為によって容易に解錠される問題がある。
【０００４】
一方、特許文献２の施錠装置には、パチンコ機内に進入された不正具によって不正に解錠されることを防止するための機構が設けられているものの、その不正防止機構は部品点数が多く、構成が複雑となっている。例えば、ガラス枠用の不正防止機構には、特殊な形状の専用のロック板（ロック手段）が設けているため、そのロック板の製造及び装置への組み付け作業によってコストが上昇する問題がある。
【０００５】
本発明は上記事実を考慮して、外枠に開閉可能に設けられた内枠の施錠、及び、内枠に開閉可能に設けられたガラス枠の施錠と、不正行為による各枠の解錠防止とを、簡単な構成によって実現させた単一の施錠装置を備える遊技機を提供することを課題とする。
【課題を解決するための手段】
【０００６】
上記目的を達成するために請求項１に記載の発明は、遊技機の外郭を構成する基枠と、前記基枠に開閉可能に設けられた第１開閉枠と、前記第１開閉枠に開閉可能に設けられた第２開閉枠と、前記第１開閉枠に設けられ、第１開閉枠を前記基枠に及び前記第２開閉枠を第１開閉枠にそれぞれ施錠するとともに、錠部が鍵部材に操作されることにより基枠に施錠された第１開閉枠及び第１開閉枠に施錠された第２開閉枠をそれぞれ解錠する施錠装置と、を備えた遊技機であって、前記施錠装置は、前記第１開閉枠が前記基枠に閉塞された状態で基枠に設けられた一対の第１固定部に係合する一対の第１係合部材と、前記一対の第１固定部に係合した前記一対の第１係合部材の各々の係合状態を保持し、且つ、前記錠部が前記鍵部材によって所定の解錠操作をされることにより前記一対の第１係合部材を連動させて前記一対の第１固定部に対する各々の係合状態を解除するとともに、一対の第１係合部材の一方が単独で係合解除操作されても他方は連動させずに係合状態を保持する第１リンク機構と、前記第２開閉枠が前記第１開閉枠に閉塞された状態で第２開閉枠に設けられた一対の第２固定部に係合する一対の第２係合部材と、前記一対の第２固定部に係合した前記一対の第２係合部材の各々の係合状態を保持し、且つ、前記錠部が前記鍵部材によって前記所定の解錠操作とは異なる他の所定の解錠操作をされることにより前記一対の第２係合部材を連動させて前記一対の第２固定部に対する各々の係合状態を解除するとともに、一対の第２係合部材の一方が単独で係合解除操作されても他方は連動させずに係合状態を保持する第２リンク機構と、前記一対の第１係合部材、前記第１リンク機構、前記一対の第２係合部材、前記第２リンク機構、及び、前記錠部が組み付けられ、それらを一体化して前記第１開閉枠に取り付けるベースと、を有することを特徴としている。
【０００７】
請求項１に記載の発明では、第１開閉枠を基枠に閉塞すると、第１開閉枠に設けられた施錠装置の一対の第１係合部材が基枠に設けられた一対の第１固定部に係合し、その係合状態が第１リンク機構によって保持され第１開閉枠は基枠に施錠される。この基枠に施錠された第１開閉枠の解錠では、施錠装置の錠部を鍵部材によって所定の解錠操作を行うと、一対の第１係合部材は第１リンク機構によって連動され、一対の第１固定部に対する各々の係合状態が解除される。また、例えば、第１開閉枠と基枠の隙間からピアノ線等の不正具が遊技機内に進入され、一方の第１係合部材が単独で不正に係合解除操作されても、他方の第１係合部材は第１リンク機構によって一方の第１係合部材に連動されずに係合状態が保持されるため、第１開閉枠が解錠されることを防止できる。
【０００８】
また、第２開閉枠を第１開閉枠に閉塞すると、第１開閉枠に設けられた施錠装置の一対の第２係合部材が第２開閉枠に設けられた一対の第２固定部に係合し、その係合状態が第２リンク機構によって保持され第２開閉枠は第１開閉枠に施錠される。この第１開閉枠に施錠された第２開閉枠の解錠では、施錠装置の錠部を鍵部材によって上記の所定の解錠操作とは異なる他の所定の解錠操作を行うと、一対の第２係合部材は第２リンク機構によって連動され、一対の第２固定部に対する各々の係合状態が解除される。また、例えば、第２開閉枠と第１開閉枠の隙間から不正具が遊技機内に進入され、一方の第２係合部材が単独で不正に係合解除操作されても、他方の第２係合部材は第２リンク機構によって一方の第２係合部材に連動されずに係合状態が保持されるため、第２開閉枠が解錠されることを防止できる。
【０００９】
そして、これら一対の第１係合部材、第１リンク機構、一対の第２係合部材、第２リンク機構、及び、錠部は、ベースに組み付けられて一体化され、その各部材及び各機構が一体化されて構成された施錠装置は、ベースを介して第１開閉枠に取り付けられる。
【００１０】
このように、この施錠装置では、各枠の施錠、及び、不正行為による各枠の解錠防止をリンク機構によって実現させており、例えば、専用のロック手段等を用いる必要がないため、構成を簡素化できる。したがって、この遊技機では、基枠に開閉可能に設けられた第１開閉枠の施錠、及び、第１開閉枠に開閉可能に設けられた第２開閉枠の施錠と、不正行為による各枠の解錠防止とを、簡単な構成の単一の施錠装置によって実現することができる。
【００１１】
請求項２に記載の発明は、請求項１記載の遊技機において、前記ベースに、前記一対の第１係合部材がそれぞれ直接取り付けられる一対の第１取付部と、前記一対の第２係合部材がそれぞれ直接取り付けられる一対の第２取付部と、が各々一体的に設けられていることを特徴としている。
【００１２】
請求項２に記載の発明では、ベースに、一対の第１係合部材がそれぞれ直接取り付けられる一対の第１取付部と、一対の第２係合部材がそれぞれ直接取り付けられる一対の第２取付部と、を各々一体的に設けることにより、それらの取付部が別体である構成に比べ、部品点数を削減できて構成を更に簡素化することができる。
【発明の効果】
【００１３】
本発明の遊技機に備える施錠装置は上記構成としたので、外枠に開閉可能に設けられた内枠の施錠、及び、内枠に開閉可能に設けられたガラス枠の施錠と、不正行為による各枠の解錠防止とを、簡単な構成によって実現することができる。
【発明を実施するための最良の形態】
【００１４】
以下、本発明の実施形態に係るパチンコ機について図面を参照して説明する。
【００１５】
図１には本発明の一実施形態に係るパチンコ機が示され、図２には本実施形態に係るパチンコ機に適用される内枠、ガラス枠、及び遊技盤が示されている。
【００１６】
図１に示されるように、パチンコ機１０は、機器の外郭を構成するとともにパチンコホールの島設備に設置される矩形状の外枠１２を備えている。外枠１２の前面には矩形額縁状の内枠１４が配置され（図２参照）、内枠１４は、外枠１２に設けられた一対のヒンジ部１６、１８に左側端部が軸支されて開閉可能に取り付けられている。また外枠１２の前面下部には下飾り２０が取り付けられている。
【００１７】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。
【００１８】
ガラス枠２６の裏面側となる内枠１４の上部には、図２に示されるように、矩形状の開口部２８が設けられている。開口部２８には、交換可能とされた遊技盤１００がセットされており、遊技盤１００は、ガラス枠２６を内枠１４に閉塞した状態でガラス枠２６（ガラス板２２）に覆われている。
【００１９】
ガラス枠２６の前面には、遊技の進行に応じて点灯又は点滅等し照明による演出効果を生み出す演出用の表示灯１４２がガラス板２２（遊技盤１００の遊技領域１０１）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが設けられ、下飾り２０の左右側部にも同様のスピーカー１４８Ｌ、１４８Ｒが配設されている。
【００２０】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００２１】
球皿部３４の底面は、図１に示されるパチンコ機１０の正面視にて右側から左側へ下り傾斜している。その傾斜方向の上流側となる右側の球皿奥壁面には、内枠１４の裏面に取り付けられた賞球払出装置８６（図３参照）から払い出された賞球や貸球が排出される球排出口４６が形成されており、傾斜方向の下流側となる左側の球皿底面上には、上流側から流下する遊技球を１列に整列して一体皿３０の裏面に配置された球送り装置（図示省略）に送り込むための整列通路が設けられている。この一体皿３０の球皿部３４に、上記の球排出口４６から遊技球（賞球又は貸球）が排出されると、遊技球は球皿部３４内を左方向へ流下し整列通路により１列に整列されて球送り装置に送り込まれる。
【００２２】
球皿本体３６の前面における上部中央には、３桁表示が可能な７セグメント表示器により、台間球貸機に挿入したプリペイドカードの残度数等を表示する表示装置７４が設けられており、表示装置７４の右側には、貸球の貸し出し操作を行う球貸ボタン７６と、台間球貸機からプリペイドカードを取り出すための返却ボタン７８が配設されている。
【００２３】
また、パネル部材３２前面の左側下部には灰皿３８が設けられ、右側下部には打球の発射力（飛距離）を調整するための発射ハンドル３９が取り付けられている。
【００２４】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００２５】
貯球タンク４２は、上面が開口した箱型とされ、底面４４が図２に示される正面側から見て左側から右側へ下り傾斜している。底面４４の傾斜方向上流側となる貯球タンク４２の左側面部には図示しないタンク入口が形成され、傾斜方向下流側となる貯球タンク４２の前面右側端部には、一体皿３０のパネル部材３２に設けられた球排出口４６と対応する位置にタンク出口４５が形成されている。したがって、一体皿３０を内枠１４に閉塞した状態では、貯球タンク４２と一体皿３０の球皿部３４とが、タンク出口４５及び球排出口４６を介して連通されており、この貯球タンク４２内に、上記の賞球払出装置８６から払い出されタンク入口を介して取り入れられた遊技球は、貯球タンク４２の底面４４上を右方向（下流側）へ転動し、タンク出口４５及び球排出口４６を介して一体皿３０の球皿部３４へ排出される。
【００２６】
また、一体皿３０のパネル部材３２裏面における球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と球排出口４６とを連通させ、一体皿３０が開放されると各々上方へ移動して、内枠１４側のシャッター板５０はタンク出口４５の下縁側を、一体皿３０側のシャッター板は球排出口４６の下縁側を塞ぐよう構成されている。このシャッター板により、一体皿３０を開放した際は、貯球タンク４２及び球皿部３４から遊技球が流出しないようせき止められる。
【００２７】
図２に示されるように、遊技盤１００は、基板となるベニヤ板に樹脂製シート状のセルが貼着されてそのセルの表面が盤面１００Ａとなっており、盤面１００Ａの外周端部付近に、円弧状の外レール１０２及び内レール１０４が取り付けられている。これらの外レール１０２及び内レール１０４によって囲まれた円形状の領域は、発射装置４０から発射されて打ち込まれた遊技球が自重落下により移動可能とされ、この領域が遊技を行う遊技領域１０１とされている。
【００２８】
遊技領域１０１には、複数の特別図柄を変動及び停止表示する特別図柄表示装置や、入賞口、始動口、又、大入賞口を備えた変動入賞装置（特別電動役物）がそれぞれ所定の位置に配置されると共に、遊技領域１０１内を落下する遊技球を所定の経路に誘導する多数の遊技釘が設けられており（何れも図示省略）、最下位置にアウト口１２４が配置されている。
【００２９】
また、図３に示されるように、内枠１４裏面の左側端部（正面視右側端部）には、上下に所定の間隔で配置され後方へ突出された一対の内枠固定用フック６０Ａ、６０Ｂによって内枠１４を外枠１２に施錠し、更に、上下に所定の間隔で配置され前方へ突出された一対のガラス枠固定用フック６２Ａ、６２Ｂ（図２参照）によってガラス枠２６を内枠１４に施錠する施錠装置５２が取り付けられている。以下、この本実施形態に係る施錠装置５２の構成について図４及び図５を用いて説明する。
【００３０】
図４及び図５に示されるように、施錠装置５２は、上下方向に延出されたベース１５０を備えている。ベース１５０は、内枠１４の裏面に取り付けられる縦長矩形状の基板部１５２と、基板部１５２の裏面視における右側端部から後方へ向けて略直角に屈曲されて基板部１５２に一体的に設けられた側板部１５４とによって構成されており、基板部１５２の上部近傍及び下部近傍には、施錠装置５２を内枠１４に２本のネジで取り付けるための一対の取付孔１５６Ａ、１５６Ｂが形成されている。
【００３１】
基板部１５２の下部側には、シリンダー錠（錠前）ユニット５４が２本のネジ１５８によって取り付けられている。シリンダー錠ユニット５４は、基板部１５２に形成された図示しない貫通孔を通して錠本体１６０が基板部１５２の前方へ突出されており、図１に示されるように、錠本体１６０の前面に形成された鍵孔５６が内枠１４前面の右下部に設けられた台座５５から露出されている。
【００３２】
錠本体１６０の裏面から後方へ突出された回動軸１６２の先端（後端）には、セクターギヤ１６４が取り付けられている。セクターギヤ１６４は、錠本体１６０の鍵孔５６に鍵部材Ｋが挿入されて右回り方向又は左回り方向に回動操作されると、鍵部材Ｋの回動操作方向と同じ方向へ回動し（図５の矢印Ａ方向）、このセクターギヤ１６４には、側板部１５４に取り付けられた矩形平板状のラック１６６が噛み合っている。
【００３３】
ラック１６６は、プレス成形による曲げ加工で側板部１５４の裏面視左側面側に一体的に設けられるとともに上下方向に所定の間隔で配置されたフック状の一対のラック保持部１６８Ａ、１６８Ｂに後縁部が保持され、セクターギヤ１６４にラック部が押さえられることにより、側板部１５４に取り付けられている。このラック１６６は側板部１５４に沿って上下方向にスライド可能とされ、セクターギヤ１６４の回動に伴い上下方向にスライドする（図４の矢印Ｂ方向）。
【００３４】
ラック１６６の下端部には、カシメピン１６８Ａを介してリンク１７０が連結されている。リンク１７０は、上部に形成された縦長の長孔１７２にカシメピン１６８Ａが挿通されてラック１６６に連結されており、その連結状態でラック１６６に対し上下方向に相対移動可能とされている。
【００３５】
リンク１７０の下端部には、カシメピン１６８Ｂを介して下側の内枠固定用フック６０Ｂが連結されている。内枠固定用フック６０Ｂは、ラック１６６の下方近傍に配置されており、プレス成形による絞り加工で側板部１５４に一体的に設けられ裏面視左側へ所定寸法突出された台座部１７４Ｂに、カシメピン１６８Ｃを介して回動可能に取り付けられている。
【００３６】
リンク１７０の下端部は、この内枠固定用フック６０Ｂの基端側（前側）における上部に連結されている。内枠固定用フック６０Ｂの基端側における下部には、ツメ部１７６Ｂが曲げ形成されており、このツメ部１７６Ｂと、内枠固定用フック６０Ｂの下方に位置して基板部１５２に曲げ加工で一体的に設けられたツメ部１７８Ｂとの間には、引っ張りコイルスプリング１８０Ｂが取り付けられている。
【００３７】
内枠固定用フック６０Ｂは、この引っ張りコイルスプリング１８０Ｂのスプリング力によって図４における左回り（矢印Ｃ方向）に付勢され、側板部１５４に曲げ加工で一体的に設けられたストッパー部１８２Ｂに上縁が当接して、図４に示される姿勢に保持されている。またその状態で、内枠固定用フック６０Ｂの先端側（後端側）に上向きに形成されたフック溝６１Ｂは側板部１５４の略後側に位置している。
【００３８】
ラック１６６の上端部には、カシメピン１６８Ｄを介して２つのリンク１８４、１８６が互いに重ね合わせられて連結されている。
【００３９】
側板部１５４側に配置されたリンク１８４の上端部には、カシメピン１６８Ｅを介してリンク１８８が連結されている。リンク１８８は、下部に形成された縦長の長孔１９０にカシメピン１６８Ｅが挿通されてリンク１８４に連結されており、その連結状態でリンク１８４に対し上下方向に相対移動可能とされている。
【００４０】
リンク１８８の上端部には、カシメピン１６８Ｆを介して上側の内枠固定用フック６０Ａが連結されている。内枠固定用フック６０Ａは、側板部１５４の上端よりも少し下方に配置されており、プレス成形による絞り加工で側板部１５４に一体的に設けられ裏面視左側へ台座部１７４Ｂと同寸法突出された台座部１７４Ａに、カシメピン１６８Ｇを介して回動可能に取り付けられている。
【００４１】
リンク１８８の上端部は、この内枠固定用フック６０Ａの基端側（前側）に連結されている。また、リンク１８８には、中央部よりも少し下がった位置にツメ部１７６Ａが曲げ形成されており、このツメ部１７６Ａと、ツメ部１７６Ａの下方に位置して基板部１５２に曲げ加工で一体的に設けられたツメ部１７８Ａとの間には、引っ張りコイルスプリング１８０Ａが取り付けられている。
【００４２】
内枠固定用フック６０Ａは、この引っ張りコイルスプリング１８０Ａのスプリング力によってリンク１８８が下方へ引き下げられることにより図４における左回り（矢印Ｄ方向）に付勢され、側板部１５４に曲げ加工で一体的に設けられたストッパー部１８２Ａに上縁が当接して、図４に示される姿勢に保持されている。またその状態で、内枠固定用フック６０Ａの先端側（後端側）に上向きに形成されたフック溝６１Ａは側板部１５４の略後側に配置されている。
【００４３】
ラック１６６の上端部に連結されてリンク１８４の左側に隣接配置されたリンク１８６の上端部には、カシメピン１６８Ｈを介してリンク１９２が連結されており、このリンク１９２の上端部には、カシメピン１６８Ｉを介して下側のガラス枠固定用フック６２Ｂ、及び、リンク１９６の下端部が連結されている。
【００４４】
リンク１９２は、上部に形成された縦長の長孔１９４にカシメピン１６８Ｉが挿通されてガラス枠固定用フック６２Ｂ及びリンク１９６に連結されており、その連結状態でガラス枠固定用フック６２Ｂの連結部（基端部）がリンク１９２に対し上下方向に相対移動可能とされている。また、リンク１９６は、下部に形成された縦長の長孔１９８にカシメピン１６８Ｉが挿通されてガラス枠固定用フック６２Ｂ及びリンク１９２に連結されており、その連結状態でガラス枠固定用フック６２Ｂの連結部がリンク１９６に対し上下方向に相対移動可能とされている。
【００４５】
ガラス枠固定用フック６２Ｂは、ラック１６６の上方近傍に配置されており、プレス成形による曲げ加工で側板部１５４に一体的に設けられ裏面視左側へ内枠固定用フック６０Ａ、６０Ｂの台座部１７４Ａ、１７４ＡＢよりも少し高く突出された台座部２００Ｂに、カシメピン１６８Ｊを介して回動可能に取り付けられている。
【００４６】
内枠固定用フック６０Ｂの先端側（前側）は、基板部１５２に形成された縦長のスリット２０２Ｂを通して基板部１５２の前面（取付面）１５２Ａよりも前方へ突出されており、その先端側に下向きに形成されたフック溝６３Ｂは、基板部１５２の前側に配置されている。
【００４７】
リンク１９２の上端部及びリンク１９６の下端部は、このガラス枠固定用フック６２Ｂの基端側（後側）に連結されている。ガラス枠固定用フック６２Ｂの先端側には、ツメ部２０４Ｂが曲げ形成されており、このツメ部２０４Ｂと、ガラス枠固定用フック６２Ｂの下方に位置して基板部１５２に曲げ加工で一体的に設けられたツメ部２０６Ｂとの間には、引っ張りコイルスプリング２０８Ｂが取り付けられている。
【００４８】
ガラス枠固定用フック６２Ｂは、この引っ張りコイルスプリング２０８Ｂのスプリング力によって図４における左回り（矢印Ｅ方向）に付勢され、フック溝６３Ｂよりも少し基端寄りの下縁がスリット２０２Ｂの下縁に当接して、図４に示される姿勢に保持されている。
【００４９】
ガラス枠固定用フック６２Ｂに連結されて上方へ延出されたリンク１９６の上端部には、カシメピン１６８Ｋを介してガラス枠押し出しアーム２１０の先端側、及び、リンク２１２の下端部が連結されている。
【００５０】
ガラス枠押し出しアーム２１０は、内枠固定用フック６０Ａとガラス枠固定用フック６２Ｂの間の中間付近に配置されており、基板部１５２に２本のリベット２１４によって固定されたステー２１６に、カシメピン１６８Ｌを介して基端部（後端部）が回動可能に取り付けられ、先端側（前側）が揺動可能とされている。
【００５１】
ガラス枠押し出しアーム２１０の先端側は、基板部１５２に形成された縦長のスリット２１８を通して基板部１５２の前面１５２Ａよりも前方へ突出可能とされている。このガラス枠押し出しアーム２１０は、通常は、図４に示されるように、先端がスリット２１８内に位置して基板部１５２の前面１５２Ａと略同一又は僅かに後方に配置され、ステー２１６の先端（後端）に曲げ形成されたストッパー部２２０に、ステー２１６に支持された基端部の上縁が略当接して、図４に示されるような傾いた姿勢に保持されている。
【００５２】
リンク２１２は、下部に形成された縦長の長孔２２２にカシメピン１６８Ｋが挿通されてガラス枠押し出しアーム２１０及びリンク１９６に連結されており、その連結状態でガラス枠押し出しアーム２１０及びリンク１９６に対し上下方向に相対移動可能とされている。
【００５３】
リンク２１２の上端部には、カシメピン１６８Ｍを介して上側のガラス枠固定用フック６２Ａが連結されている。リンク２１２は、上部に形成された縦長の長孔２２４にカシメピン１６８Ｍが挿通されてガラス枠固定用フック６２Ａに連結されており、その連結状態でガラス枠固定用フック６２Ａの連結部（基端部）がリンク２１２に対し上下方向に相対移動可能とされている。
【００５４】
ガラス枠固定用フック６２Ａは、側板部１５４の上端部に配置されており、プレス成形による曲げ加工で側板部１５４に一体的に設けられ裏面視左側へ台座部２００Ｂと同寸法突出された台座部２００Ａに、カシメピン１６８Ｎを介して回動可能に取り付けられている。
【００５５】
内枠固定用フック６０Ａの先端側（前側）は、基板部１５２に形成された縦長のスリット２０２Ａを通して基板部１５２の前面（取付面）１５２Ａよりも前方へ突出されており、その先端側に下向きに形成されたフック溝６３Ａは、基板部１５２の前側に配置されている。
【００５６】
リンク２１２の上端部は、このガラス枠固定用フック６２Ａの基端側（後側）に連結されている。ガラス枠固定用フック６２Ａの先端側には、ツメ部２０４Ａが曲げ形成されており、このツメ部２０４Ａと、ガラス枠固定用フック６２Ａの下方に位置して基板部１５２に曲げ加工で一体的に設けられたツメ部２０６Ａとの間には、引っ張りコイルスプリング２０８Ａが取り付けられている。
【００５７】
ガラス枠固定用フック６２Ａは、この引っ張りコイルスプリング２０８Ａのスプリング力によって図４における左回り（矢印Ｆ方向）に付勢され、フック溝６３Ａよりも少し基端寄りの下縁がスリット２０２Ａの下縁に当接して、図４に示される姿勢に保持されている。
【００５８】
本実施形態の施錠装置５２は以上の構成とされており、この施錠装置５２は、前述したように、ベース１５０の基板部１５２に形成された一対の取付孔１５６Ａ、１５６Ｂに２本のネジが挿通されて内枠１４裏面の左側端部に取り付けられている。また、その取付状態では、図２に示されるように、前方へ突出された一対のガラス枠固定用フック６２Ａ、６２Ｂが、内枠１４前面の右側端部に形成されたスリット６４Ａ、６４Ｂを通して前方へ突出されており、ガラス枠押し出しアーム２１０がスリット６４Ｃを通して前方へ突出可能とされている。
【００５９】
次に、以上説明した本実施形態に係るパチンコ機１０に設けられた施錠装置５２の作用について説明する。
【００６０】
本実施形態のパチンコ機１０では、内枠１４を外枠１２に施錠する場合、内枠１４を外枠１２に閉塞すると、図６に示されるように、内枠１４に設けられた施錠装置５２の一対の内枠固定用フック６０Ａ、６０Ｂが外枠１２に設けられた一対の鍵受け部６６Ａ、６６Ｂに係合し、内枠固定用フック６０Ｂの係合状態は引っ張りコイルスプリング１８０Ｂのスプリング力によって保持され、内枠固定用フック６０Ａの係合状態はリンク１８８を介して作用する引っ張りコイルスプリング１８０Ａのスプリング力によって保持され、内枠１４は外枠１２に施錠される。
【００６１】
この外枠１２に施錠された内枠１４の解錠では、施錠装置５２に設けられたシリンダー錠ユニット５４の錠本体１６０の鍵孔５６に鍵部材Ｋを差込み、鍵部材Ｋを右方向に回すと、ラック１６６が上方へスライドし、このラック１６６の上方へのスライドに連動してリンク１７０と、リンク１８４及びリンク１８８が上方（図６の矢印Ｇ方向）へスライドする。そして、内枠固定用フック６０Ａ、６０Ｂはそれぞれ先端側を下降させる方向（図６では右回転方向）へ回動し、鍵受け部６６Ａ、６６Ｂに対する各々の係合状態が解除される。
【００６２】
ガラス枠２６を内枠１４に施錠する場合は、ガラス枠２６を内枠１４に閉塞すると、図７に示されるように、内枠１４に設けられた施錠装置５２の一対のガラス枠固定用フック６２Ａ、６２Ｂがガラス枠２６裏面の右側端部に取り付けられているガラス枠補強板６８に設けられた一対の鍵受け部７０Ａ、７０Ｂ（図２参照）に係合し、ガラス枠固定用フック６２Ｂの係合状態は引っ張りコイルスプリング２０８Ｂのスプリング力によって保持され、ガラス枠固定用フック６２Ａの係合状態は引っ張りコイルスプリング２０８Ａのスプリング力によって保持され、ガラス枠２６は内枠１４に施錠される。
【００６３】
この内枠１４に施錠されたガラス枠２６の解錠では、施錠装置５２に設けられたシリンダー錠ユニット５４の錠本体１６０の鍵孔５６に鍵部材Ｋを差込み、鍵部材Ｋを左方向に回すと、ラック１６６が下方（図７の矢印Ｈ方向）へスライドし、このラック１６６の下方へのスライドに連動してリンク１８６、１９２、１９６、２１２が下方へスライドする。そして、ガラス枠固定用フック６２Ａ、６２Ｂはそれぞれ先端側を上昇させる方向（図７では右回転方向）へ回動し、鍵受け部７０Ａ、７０Ｂに対する各々の係合状態が解除される。また、ガラス枠押し出しアーム２１０は、下方へスライドするリンク１９６によって先端側を下降させる方向（図７では左回転方向）へ揺動し、その先端部を内枠１４に形成されたスリット６４Ｃを通して前方へ突出させる。これにより、ガラス枠２６は、裏面の右側端部（ガラス枠補強板６８）がガラス枠押し出しアーム２１０に押されて開放される。
【００６４】
また、例えば、内枠１４と外枠１２の隙間からピアノ線等の不正具がパチンコ機１０内に進入され、図８（Ａ）、（Ｂ）に示されるように、一方の内枠固定用フックが単独で不正に係合解除操作されても、他方の内枠固定用フックは上記のリンク機構によって一方の内枠固定用フックに連動されずに係合状態が保持されるため、内枠１４が解錠されることを防止できる。
【００６５】
同様に、ガラス枠２６と内枠１４の隙間から不正具がパチンコ機１０内に進入され、図９（Ａ）、（Ｂ）に示されるように、一方のガラス枠固定用フックが単独で不正に係合解除操作されても、他方のガラス枠固定用フックは上記のリンク機構によって一方のガラス枠固定用に連動されずに係合状態が保持されるため、ガラス枠２６が解錠されることを防止できる。
【００６６】
そして、これらの内枠固定用フック６０Ａ、６０Ｂ、ガラス枠固定用フック６２Ａ、６２Ｂ、各リンク、各引っ張りコイルスプリング、及び、シリンダー錠ユニット５４は、ベース１５０に組み付けられて一体化され、その各部材及び各機構が一体化されて構成された施錠装置５２は、ベース１５０を介して内枠１４の裏面に取り付けられる。
【００６７】
このように、本実施形態の施錠装置５２では、各枠の施錠、及び、不正行為による各枠の解錠防止をリンク機構によって実現させており、例えば、専用のロック手段等を用いる必要がないため、構成を簡素化できる。したがって、本実施形態のパチンコ機１０では、外枠１２に開閉可能に設けられた内枠１４の施錠、及び、内枠１４に開閉可能に設けられたガラス枠２６の施錠と、不正行為による各枠の解錠防止とを、簡単な構成の単一の施錠装置５２によって実現することができる。
【００６８】
また、本実施形態では、施錠装置５２のベース１５０に、一対の内枠固定用フック６０Ａ、６０Ｂがそれぞれ直接取り付けられる一対の台座部１７４Ａ、１７４Ｂと、一対のガラス枠固定用フック６２Ａ、６２Ｂがそれぞれ直接取り付けられる一対の台座部２００Ａ、２００Ｂと、を各々一体的に設けていることにより、例えばそれらの取付部が別体である構成に比べ、部品点数を削減できて構成を更に簡素化することができている。
【００６９】
以上、本発明を上述した特定の実施形態により詳細に説明したが、本発明はそれに限定されるものではなく、本発明の範囲内にて他の種々の実施形態が可能である。
【００７０】
例えば、上述した実施形態では、内枠１４を外枠１２に施錠し、且つ、ガラス枠２６を内枠１４に施錠する一体型の施錠装置５２を例に説明したが、ガラス枠２６に代えて、一体皿３０を内枠１４に施錠する機能を備えた一体型の施錠装置に適用することも可能である。
【図面の簡単な説明】
【００７１】
【図１】本発明の一実施形態に係るパチンコ機を示す正面図である。
【図２】図１のパチンコ機における内枠、ガラス枠、及び遊技盤を示す正面側から見た斜視図である。
【図３】図１のパチンコ機における内枠、ガラス枠、及び遊技盤を示す裏面側から見た斜視図である。
【図４】本発明の一実施形態に係る施錠装置を示す右側面図である。
【図５】本発明の一実施形態に係る施錠装置を示す背面図である。
【図６】本発明の一実施形態に係る施錠装置によって外枠に施錠された内枠が解錠される動作を示す右側面図である。
【図７】本発明の一実施形態に係る施錠装置によって内枠に施錠されたガラス枠が解錠される動作を示す右側面図である。
【図８】（Ａ）、（Ｂ）は、本発明の一実施形態に係る施錠装置によって外枠に施錠された内枠の不正解錠が防止される動作を示す右側面図である。
【図９】（Ａ）、（Ｂ）は、本発明の一実施形態に係る施錠装置によって内枠に施錠されたガラス枠の不正解錠が防止される動作を示す右側面図である。
【符号の説明】
【００７２】
１０          パチンコ機（遊技機）
１２          外枠（基枠）
１４          内枠（第１開閉枠）
２６          ガラス枠（第２開閉枠）
５２          施錠装置
５４          シリンダー錠ユニット（錠部）
６０Ａ、６０Ｂ          内枠固定用フック（一対の第１係合部材）
６２Ａ、６２Ｂ          ガラス枠固定用フック（一対の第２係合部材）
６６Ａ、６６Ｂ          鍵受け部（一対の第１固定部）
７０Ａ、７０Ｂ          鍵受け部（一対の第２固定部）
１５０        ベース
１７０        リンク（第１リンク機構）
１７４Ａ、１７４Ｂ        台座部（一対の第１取付部）
１８０Ａ、１８０Ｂ        引っ張りコイルスプリング（第１リンク機構）
１８４        リンク（第１リンク機構）
１８６        リンク（第２リンク機構）
１８８        リンク（第１リンク機構）
１９２        リンク（第２リンク機構）
１９６        リンク（第２リンク機構）
２００Ａ、２００Ｂ        台座部（一対の第２取付部）
２０８Ａ、２０８Ｂ        引っ張りコイルスプリング（第２リンク機構）
２１２        リンク（第２リンク機構）
Ｋ            鍵部材
【図１】
2006034358.tif 000003
【図２】
2006034358.tif 000004
【図３】
2006034358.tif 000005
【図４】
2006034358.tif 000006
【図５】
2006034358.tif 000007
【図６】
2006034358.tif 000008
【図７】
2006034358.tif 000009
【図８】
2006034358.tif 000010
【図９】
2006034358.tif 000011